(57)【要約】    【課題】  高速な防振動作が容易で、防振に際しても光学性能を良好に維持することが容易な全系が小型で高ズーム比のズームレンズを得ること。    【解決手段】  物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群より構成され、ズーミングに際して隣り合うレンズ群の間隔が変化するズームレンズであって、第４レンズ群の全体、または一部を光軸に対して垂直方向の成分を持つ方向に移動させて、結像位置を光軸に対して垂直方向に移動しており、第１レンズ群、第２レンズ群、第３レンズ群の焦点距離ｆ１、ｆ２、ｆ３、広角端と望遠端における全系の焦点距離ｆｗ、ｆｔを各々適切に設定したこと。【選択図】    図１
2014021256.tif 000002
【特許請求の範囲】
【請求項１】
物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群より構成され、ズーミングに際して隣り合うレンズ群の間隔が変化するズームレンズであって、前記第４レンズ群の全体、または一部を光軸に対して垂直方向の成分を持つ方向に移動させて、結像位置を光軸に対して垂直方向に移動しており、前記第１レンズ群の焦点距離をｆ１、前記第２レンズ群の焦点距離をｆ２、前記第３レンズ群の焦点距離をｆ３、広角端と望遠端における全系の焦点距離をそれぞれｆｗ、ｆｔとするとき、
０．３８＜ｆ１／ｆｔ＜０．７０
−０．１６＜ｆ２／ｆｔ＜−０．０６
０．４５＜ｆ３／ｆｗ＜１．００
なる条件式を満足することを特徴とするズームレンズ。
【請求項２】
前記第４レンズ群の焦点距離をｆ４とするとき、
−０．２０＜ｆ４／ｆｔ＜−０．０８
なる条件式を満足することを特徴とする請求項１に記載のズームレンズ。
【請求項３】
前記第４レンズ群は正の屈折力の第４ａレンズ成分と、負の屈折力の第４ｂレンズ成分を有し、前記第４ｂレンズ成分を光軸に対して垂直方向の成分を持つ方向に移動させて結像位置を光軸に対し垂直方向に移動させることを特徴とする請求項１または２に記載のズームレンズ。
【請求項４】
前記第４ｂレンズ成分の焦点距離をｆ４ｂ、前記第４レンズ群の焦点距離をｆ４とするとき、
０．４０＜ｆ４ｂ／ｆ４＜１．２０
なる条件式を満足することを特徴とする請求項３に記載のズームレンズ。
【請求項５】
フォーカシングに際して前記第６レンズ群が移動することを特徴とする請求項１乃至４のいずれか１項に記載のズームレンズ。
【請求項６】
前記第６レンズ群の焦点距離をｆ６とするとき、
−０．２４＜ｆ６／ｆｔ＜−０．１０
なる条件式を満足することを特徴とする請求項１乃至５のいずれか１項に記載のズームレンズ。
【請求項７】
前記第５レンズ群は第５ａレンズ成分と第５ｂレンズ成分を有し、フォーカシングに際して前記第５ｂレンズ成分と前記第６レンズ群が移動することを特徴とする請求項１乃至６のいずれか１項に記載のズームレンズ。
【請求項８】
前記第５ｂレンズ成分の焦点距離をｆ５ｂ、前記第５レンズ群の焦点距離をｆ５とするとき、
０．８０＜ｆ５ｂ／ｆ５＜２．４０
なる条件式を満足することを特徴とする請求項７のいずれか１項に記載のズームレンズ。
【請求項９】
広角端から望遠端へのズーミングに際して、前記第１レンズ群と前記第３レンズ群と前記第５レンズ群と前記第６レンズ群が物体側へ移動し、前記第２レンズ群が像側へ移動し、前記第４レンズ群は不動であることを特徴とする請求項１乃至８のいずれか１項のズームレンズ。
【請求項１０】
請求項１乃至９のいずれか１項に記載のズームレンズと、該ズームレンズによって形成された像を受光する撮像素子を有することを特徴とする撮像装置。
【発明の詳細な説明】
【技術分野】
【０００１】
本発明はズームレンズ及びそれを有する撮像装置に関し、特にビデオカメラ、電子スチルカメラ、放送用カメラ、監視カメラ等のように固体撮像素子を用いた撮像装置、或いは銀塩フィルムを用いた撮像装置等に好適なものである。
【背景技術】
【０００２】
近年、固体撮像素子を用いた撮像装置は高機能化及び装置全体が小型化されている。そしてそれに用いる撮影光学系には、小型で高ズーム比で、しかも高解像力のズームレンズであることが要求されている。更に撮影する際の振動等に起因して生ずる画像のブレを軽減する（補正する）防振機能を有するズームレンズであること等が要求されている。
【０００３】
従来、全系が小型で高ズーム比で防振機能を有したズームレンズとして、物体側より像側へ順に、正、負、正、負、正、負の屈折力の第１〜第６レンズ群の６つのレンズ群より成る６群ズームレンズが知られている（特許文献１，２）。特許文献１のズームレンズでは、負の屈折力の第２レンズ群を光軸に対してと垂直な方向に平行移動させることにより、ズームレンズが振動したときの画像のブレを補正している。
【０００４】
特許文献２のズームレンズでは、正の屈折力の第５レンズ群を２つのレンズ成分で構成し、２つのレンズ成分のうち撮像面側のレンズ成分を光軸に対して垂直な方向に平行移動させることにより、ズームレンズが振動したときの画像のブレを補正している。
【先行技術文献】
【特許文献】
【０００５】
【特許文献１】特開２００７−１９２８５８号公報
【特許文献２】特開２００８−３０４８５７号公報
【発明の概要】
【発明が解決しようとする課題】
【０００６】
撮像装置に用いられるズームレンズの多くは、防振時に良好なる光学性能が維持することができて、全系が小型で高ズーム比であることが求められている。このようなズームレンズを得るためには、ズームタイプ及びズームレンズを構成する各レンズ群の屈折力（光学的パワー＝焦点距離の逆数）や防振用のレンズ成分の屈折力等を適切に設定することが重要になってくる。また防振動作を高速に行うには、小型軽量のレンズ成分を防振レンズ成分とするのが重要になってくる。
【０００７】
更に防振に際しての偏心収差の発生が少なく、防振時に良好なる光学性能を維持するにはズームレンズを構成するどのレンズ成分を防振用のレンズ成分として選択するか重要になってくる。そして選択した防振用レンズ成分の屈折力やレンズ構成等を適切に設定することが重要になってくる。
【０００８】
これらの構成を適切に設定しないと、全系が小型化でしかも高ズーム比で防振時においても高い光学性能を有するズームレンズを得るのが難しくなってくる。例えば前述した６群ズームレンズにおいては、主たる変倍作用をする第２レンズ群の屈折力や、第２レンズ群の広角端と望遠端における結像倍率等を適切に設定しないと高ズーム比化が困難になる。
【０００９】
また第２レンズ群の屈折力とともに、第１レンズ群の屈折力を適切に設定しないと全系が大型化してくる。また有効径が比較的小さく、小型軽量である第４レンズ群よりも像側のレンズ成分で防振を行わないと防振のための駆動機構が大型化し、ズームレンズ全体が大型化するとともに防振動作を高速に行うことが困難になる。
【００１０】
本発明は、高速な防振動作が容易で、防振に際しても光学性能を良好に維持することが容易な全系が小型で高ズーム比のズームレンズ及びそれを有する撮像装置の提供を目的とする。
【課題を解決するための手段】
【００１１】
本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群より構成され、ズーミングに際して隣り合うレンズ群の間隔が変化するズームレンズであって、前記第４レンズ群の全体、または一部を光軸に対して垂直方向の成分を持つ方向に移動させて、結像位置を光軸に対して垂直方向に変移しており、前記第１レンズ群の焦点距離をｆ１、前記第２レンズ群の焦点距離をｆ２、前記第３レンズ群の焦点距離をｆ３、広角端と望遠端における全系の焦点距離を各々ｆｗ、ｆｔとするとき、
０．３８＜ｆ１／ｆｔ＜０．７０
−０．１６＜ｆ２／ｆｔ＜−０．０６
０．４５＜ｆ３／ｆｗ＜１．００
なる条件式を満足することを特徴としている。
【発明の効果】
【００１２】
本発明によれば、高速な防振動作が容易で、防振に際しても光学性能を良好に維持することが容易な全系が小型で高ズーム比のズームレンズが得られる。
【図面の簡単な説明】
【００１３】
【図１】実施例１のレンズ断面図
【図２】実施例１の無限遠合焦時収差図
【図３】実施例１の物体距離２ｍに合焦時収差図
【図４】実施例１の無限遠合焦時の光学系を０．３°傾けた時の収差図
【図５】実施例２のレンズ断面図
【図６】実施例２の無限遠合焦時収差図
【図７】実施例２の物体距離２ｍに合焦時収差図
【図８】実施例２の無限遠合焦時の光学系を０．３°傾けた時の収差図
【図９】実施例３のレンズ断面図
【図１０】実施例３の無限遠合焦時収差図
【図１１】実施例３の物体距離２ｍに合焦時収差図
【図１２】実施例３の無限遠合焦時の光学系を０．３°傾けた時の収差図
【図１３】本発明の撮像装置の要部概略図
【発明を実施するための形態】
【００１４】
以下に、本発明の好ましい実施の形態を、添付の図面に基づいて詳細に説明する。本発明のズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群を有している。そしてズーミングに際して隣り合うレンズ群の間隔が変化する。第４レンズ群の全体、または一部を光軸に対して垂直方向の成分を持つ方向に移動させて、結像位置を光軸に対して垂直方向に移動している。
【００１５】
図１，図５，図９は、各々本発明の実施例１乃至３のズームレンズの広角端（短焦点距離端）におけるレンズ断面図である。図２，図６，図１０は、各々本発明の実施例１乃至３の無限遠物体に合焦時の縦収差図である。図３，図７，図１１は、各々本発明の実施例１乃至３の物体距離２ｍに合焦時の縦収差図である。図４，図８，図１２は、各々本発明の実施例１乃至３の無限遠物体に合焦時であって、０．３度の防振を行ったときの横収差図である。
【００１６】
収差図において（Ａ）は広角端、（Ｂ）は中間のズーム位置、（Ｃ）は望遠端（長焦点距離端）である。物体距離２ｍは後述する数値実施例を「ｍｍ」単位で表したときの距離である。
【００１７】
図１３は本発明のズームレンズを備えるカメラ（撮像装置）の要部概略図である、各実施例のズームレンズはビデオカメラやデジタルカメラそして銀塩フィルムカメラ等の撮像装置に用いられる撮影レンズ系である。レンズ断面図において、左方が被写体側（物体側）（前方）で、右方が像側（後方）である。レンズ断面図において、ｉは物体側からのレンズ群の順番を示し、Ｌｉは第ｉレンズ群である。ここでレンズ群とは、ズーミングの際に変動する光軸方向に沿った間隔によって分けられる部分である。
【００１８】
レンズ断面図において、Ｌ１は正の屈折力の第１レンズ群、Ｌ２は負の屈折力の第２レンズ群、Ｌ３は正の屈折力の第３レンズ群である。Ｌ４は負の屈折力の第４レンズ群、Ｌ５は正の屈折力の第５レンズ群、Ｌ６は負の屈折力の第６レンズ群である。各実施例はポジティブリード型の６群ズームレンズである。
【００１９】
各実施例において、ＳＰは開口絞りであり、第３レンズ群Ｌ３の像側に配置している。ＩＰは像面であり、ビデオカメラやデジタルスチルカメラの撮影光学系として使用する際にはＣＣＤセンサやＣＭＯＳセンサ等の固体撮像素子（光電変換素子）の撮像面に、銀塩フィルム用カメラのときはフィルム面に相当する感光面が置かれる。
【００２０】
収差図において、ｄ、ｇ、Ｓ．Ｃはそれぞれｄ線、ｇ線、正弦条件である。ΔＭ,ΔＳはそれぞれメリディオナル像面、サジタル像面である。倍率色収差はｇ線によって表している。ωは半画角（撮影画角の半分の値）、ＦｎｏはＦナンバーである。横収差図においてＹは像高である。尚、以下の各実施例において広角端と望遠端は変倍用レンズ群が機構上光軸上を移動可能な範囲の両端に位置したときのズーム位置をいう。各実施例において矢印は、広角端から望遠端へのズーミングに際しての移動軌跡を示している。
【００２１】
矢印Ｆは無限遠物体から近距離物体へのフォーカシングに際してのレンズ群の移動方向を示している。
【００２２】
各実施例においては隣接するレンズ群の間隔を変化させてズーミングを行っている。各実施例は、広角端から望遠端へのズーミングに際して、第１、第３、第５、第６レンズ群Ｌ１、Ｌ３、Ｌ５、Ｌ６をいずれも物体側へ移動させている。第２レンズ群Ｌ２は像面側へ移動させている。第４レンズ群Ｌ４は不動である。
【００２３】
広角端から望遠端へのズーミングに際して第１レンズ群Ｌ１と第２レンズ群Ｌ２の間隔が増大し、第２レンズ群Ｌ２と第３レンズ群Ｌ３の間隔が減少し、第３レンズ群Ｌ３と第４レンズ群Ｌ４の間隔が拡大する。更に第４レンズ群Ｌ４と第５レンズ群Ｌ５の間隔が減少し、第５レンズ群Ｌ５と第６レンズ群Ｌ６の間隔が減少している。
【００２４】
各実施例は、変倍分担が大きく、負の屈折力の強い第２レンズ群Ｌ２を２枚の正レンズと、２枚の負レンズで構成することにより、全ズーム範囲で収差変動の少ない、良好な光学性能を実現している。第２レンズ群Ｌ２で防振、または、フォーカシングを行わないことで、レンズ枚数を増加させたときでも第２レンズ群Ｌ２が大型化するのを軽減している。
【００２５】
実施例１では、正の屈折力の第４レンズ群Ｌ４を物体側から像側へ順に、正の屈折力の第４ａレンズ成分Ｌ４ａ、負の屈折力の第４ｂレンズ成分Ｌ４ｂの２つのレンズ成分で構成している。そして第４ｂレンズ成分Ｌ４ｂを光軸に対して垂直方向の成分を持つ方向に移動させることにより結像位置を光軸に対して垂直方向に移動させている。即ち防振を行っている。
【００２６】
実施例２では、実施例１と同様に正の屈折力の第４レンズ群Ｌ４を正の屈折力の第４ａレンズ成分Ｌ４ａ、負の屈折力の第４ｂレンズ成分Ｌ４ｂの２つのレンズ成分で構成し、第４ｂレンズ成分Ｌ４ｂにより防振を行っている。実施例３では、第４レンズ群Ｌ４全体により防振を行っている。
【００２７】
フォーカシングに際して第６レンズ群Ｌ６は移動する。この他のフォーカシング方式としては、第５レンズ群Ｌ５が第５ａレンズ成分Ｌ５ａと第５ｂレンズ成分Ｌ５ｂを有し、フォーカシングに際し、第５ｂレンズ成分Ｌ５ｂと第６レンズ群Ｌ６が移動する。具体的には、無限遠物体から有限距離物体にフォーカシングする際、第５ｂレンズ成分Ｌ５ｂを物体側へ移動し、第６レンズ群Ｌ６を像面側へ移動させている。これによりフォーカシングの際の収差変動を軽減している。
【００２８】
各実施例において、第１レンズ群Ｌ１、第２レンズ群Ｌ２、第３レンズ群Ｌ３の焦点距離をそれぞれｆ１、ｆ２、ｆ３とする。広角端と望遠端における全系の焦点距離をそれぞれｆｗ、ｆｔとする。このとき、
０．３８＜ｆ１／ｆｔ＜０．７０      ・・・（１）
−０．１６＜ｆ２／ｆｔ＜−０．０６    ・・・（２）
０．４５＜ｆ３／ｆｗ＜１．００      ・・・（３）
なる条件式を満足する。
【００２９】
次に前述の条件式（１）乃至（３）の技術的内容について説明する。条件式（１）、（２）は、主に全系を小型化にしつつ、高画質化を得るための条件式である。条件式（１）の上限値を超えて、第１レンズ群Ｌ１の屈折力が弱くなりすぎると、レンズ外径が増大し、かつレンズ全長が増加する。他方、下限値を越えて、第１レンズ群Ｌ１の屈折力が強くなりすぎると、高次の球面収差が多く発生し、この補正が困難となる。
【００３０】
条件式（２）の上限値を超えて、第２レンズ群Ｌ２の負の屈折力が大きくなりすぎると、ペッツバール和が負の方向に大きくなり、像面湾曲が大きくなる。また、下限値を超えてと、第２レンズ群Ｌ２の屈折力が弱まりすぎると、一定のズーム比を得るためには、各レンズ群の移動量を大きくせねばならなくなり、レンズ全長が増大し、全系の小型化が困難となる。
【００３１】
また、本発明の各実施例では、第４レンズ群Ｌ４の全体を防振用のレンズ群、または一部の負の屈折力のレンズ成分を防振用のレンズ成分とし、これを光軸に対して垂直方向の成分を持つ方向に平行移動又は回動させている。これにより結像位置を光軸に対し垂直方向に移動させている。即ち防振を行っている。各実施例では、防振用の負の屈折力のレンズ群又は防振用の負の屈折力のレンズ成分を有するレンズ群の物体側には正の屈折力のレンズ群を配置している。
【００３２】
各実施例では防振用の負の屈折力のレンズ群又は防振用の負の屈折力のレンズ成分を有するレンズ群の物体側に配置した正の屈折力のレンズ群により収斂された光線を防振用のレンズ群又は防振用のレンズ成分に入射させている。これにより、防振レンズ群の有効径を小さくしている。それにより、防振を行うための駆動機構を小型化している。
【００３３】
条件式（３）は、防振用のレンズ群又は防振用のレンズ成分を小型化しつつ、光学性能を良好にするための条件式である。条件式（３）の上限を超えて、防振用のレンズ群又は防振用のレンズ成分を有するレンズ群の物体側に配置される正の屈折力のレンズ群の屈折力が弱くなりすぎると、防振用のレンズ群又は防振用のレンズ成分に入射する光束を十分に収斂させることができない。
【００３４】
そうすると、防振用のレンズ群又は防振用のレンズ成分が大型化する。条件式（３）の下限を超えると、防振用のレンズ群又は防振用のレンズ成分の小型化は容易となるが、正の屈折力のレンズ群の屈折力がつよすぎるため、光学性能が悪化してくる。
【００３５】
以上の構成により、防振機能を有し、小型で高性能な望遠型のズームレンズを実現することができるが、さらに好ましくは、次の条件式のうち１以上を満足するのが良い。
【００３６】
第４レンズ群Ｌ４の焦点距離をｆ４とする。第４ｂレンズ成分Ｌ４ｂの焦点距離をｆ４ｂとする。第５レンズ群Ｌ５、第５ｂレンズ成分Ｌ５ｂの焦点距離をそれぞれｆ５、ｆ５ｂとする。第６レンズ群Ｌ６の焦点距離をｆ６とする。このとき、次の条件式のうち１以上を満足するのが良い。
【００３７】
−０．２０＜ｆ４／ｆｔ＜−０．０８    ・・・（４）
０．４０＜ｆ４ｂ／ｆ４＜１．２０    ・・・（５）
−０．２４＜ｆ６／ｆｔ＜−０．１０    ・・・（６）
０．８０＜ｆ５ｂ／ｆ５＜２．４０    ・・・（７）
次に前述の条件式（４）乃至（７）の技術的意味について説明する。
【００３８】
条件式（４）は、防振レンズ群としての第４レンズ群Ｌ４又は防振用のレンズ成分を含む第４レンズ群Ｌ４の屈折力に関する。この条件式（４）を満足することにより、防振時の防振レンズ群又は防振用のレンズ成分の変移量を抑えつつ、高画質を維持している。
【００３９】
実施例１、２では第４レンズ群Ｌ４を正の屈折力の第４ａレンズ成分Ｌ４ａ、負の屈折力の第４ｂレンズ成分Ｌ４ｂで構成し、第４ｂレンズ成分Ｌ４ｂで防振している。これにより、第４ｂレンズ成分Ｌ４ｂの屈折力を大きくすることができ、防振時に必要な防振用のレンズ成分の変移量を小さくしている。また、正の屈折力の第３レンズ群Ｌ３の像面側に防振用の第４ｂレンズ成分Ｌ４ｂを配置することで、第３レンズ群Ｌ３で収斂させた光線を第４ｂレンズ成分Ｌ４ｂに入射させて、第４ｂレンズ成分Ｌ４ｂのレンズ有効径を小さくしている。それにより、防振を行うための駆動機構等も小型化している。
【００４０】
実施例３では第４レンズ群Ｌ４の全体で防振を行っており、このとき第４レンズ群Ｌ４の物体側の正の屈折力の第３レンズ群Ｌ３で同様の効果を得ている。条件式（５）は、実施例１、２に相当し、防振用のレンズ成分である第４ｂレンズ成分の屈折力に関する。この条件式（５）を満足することにより、防振用のの防振レンズ成分の変移量を抑えつつ、高画質を維持している。条件式（５）を外れるとこれらの効果を得るのが困難となる。
【００４１】
また、本発明の各実施例では、フォーカシングに際して第６レンズ群Ｌ６を移動させている。望遠型のズームレンズでは第１レンズ群のレンズ有効径が大きいため、第１レンズ群をフォーカシングに使用する所謂前玉フォーカス方式では、第１レンズ群のレンズ重量が重いため、フォーカシングのスピードが遅くなる欠点がある。また、フォーカスの駆動に高トルクのモータが必要であるため、ズームレンズ全体が大型化してしまう。よって、望遠型のズームレンズで全系の小型化を実現するためには、レンズ有効径の小さい第１レンズ群以外のレンズ群でフォーカシングを行うのが良い。
【００４２】
物体側から像側へ順に、正、負、正、負、正、負の屈折力の第１〜第６レンズ群の６群より成る望遠型のズームレンズでは、正の屈折力のレンズ群と像面側に隣り合う負の屈折力のレンズ群に、正の屈折力のレンズ群により光線が収斂された状態で入射する。このため、負の屈折力のレンズ群のレンズ有効径が小さくなる。第２レンズ群は変倍分担が大きく、屈折力が大きいため、第２レンズ群でフォーカシングを行うとフォーカシングに際して収差の変動が大きくなるので良くない。
【００４３】
本発明のズームレンズでは、第４レンズ群の一部又は全部のレンズ群で防振を行うため、第６レンズ群Ｌ６を含む複数のレンズ群を移動させることによりフォーカシングを行うことで全系の小型化を実現している。条件式（６）は、そのとき、フォーカス用のレンズ群の一部である第６レンズ群Ｌ６の焦点距離に関し、収差変動を軽減しつつ、フォーカシングを良好に行うためのものである。
【００４４】
条件式（６）の上限値を超えると、第６レンズ群Ｌ６の屈折力が強くなりすぎるため、収差変動、特に像面湾曲の変動が大きくなってしまう。条件式（６）の下限値を超えると、第６レンズ群Ｌ６の屈折力が弱くなるため、フォーカシングに際しての移動量が大きくなりレンズ全長が増大してくる。
【００４５】
さらに、各実施例では、第５レンズ群Ｌ５を正の屈折力の第５ａレンズ成分Ｌ５ａと正の屈折力の第５ｂレンズ成分Ｌ５ｂに分割している。そしてフォーカシングに際しての収差変動を軽減するため、第６レンズ群Ｌ６とともに第５ｂレンズ成分Ｌ５ｂを移動させる所謂フローティングを行っている。これにより、フォーカシングに際しての収差変動、特に像面湾曲の変動を低減している。
【００４６】
条件式（７）は第５レンズ群Ｌ５と第５ｂレンズ成分Ｌ５ｂの焦点距離の比に関し、主にフォーカシングに際して像面湾曲の変動を低減させるためのものである。条件式（７）を満足しないと、フォーカシング全領域において良好なる光学性能を得るのが困難になる。
【００４７】
更に好ましくは条件式（１）乃至（７）の数値範囲を次の如く設定するのが良い。
【００４８】
０．４０＜ｆ１／ｆｔ＜０．６０      ・・・（１ａ）
−０．１４＜ｆ２／ｆｔ＜−０．０９    ・・・（２ａ）
０．５０＜ｆ３／ｆｗ＜０．９５      ・・・（３ａ）
−０．１８＜ｆ４／ｆｔ＜−０．０９    ・・・（４ａ）
０．５０＜ｆ４ｂ／ｆ４＜１．００    ・・・（５ａ）
−０．２１＜ｆ６／ｆｔ＜−０．１２    ・・・（６ａ）
１．００＜ｆ５ｂ／ｆ５＜２．２０        ・・・（７ａ）
更に好ましくは条件式（１ａ）乃至（７ａ）の数値範囲を次の如く設定するのが良い。
【００４９】
０．４２＜ｆ１／ｆｔ＜０．５５      ・・・（１ｂ）
−０．１３０＜ｆ２／ｆｔ＜−０．１００・・・（２ｂ）
０．６０＜ｆ３／ｆｗ＜０．９０      ・・・（３ｂ）
−０．１６０＜ｆ４／ｆｔ＜−０．１００・・・（４ｂ）
０．６０＜ｆ４ｂ／ｆ４＜０．８０    ・・・（５ｂ）
−０．１９＜ｆ６／ｆｔ＜−０．１４    ・・・（６ｂ）
１．２０＜ｆ５ｂ／ｆ５＜２．００    ・・・（７ａ）
以上、本発明の好ましい実施形態について説明したが、本発明はこれらの実施形態に限定されず、その要旨の範囲内で種々の変形及び変更が可能である。
【００５０】
図１３は各実施例のズームレンズを用いたデジタルスチルカメラの要部概略図である。図１３において、２０はカメラ本体、２１は各実施例で説明したいずれかのズームレンズによって構成された撮影光学系である。２２はカメラ本体２０に内蔵され、撮影光学系２１によって形成された被写体像を受光するＣＣＤセンサやＣＭＯＳセンサ等の固体撮像素子（光電変換素子）である。
【００５１】
以下、実施例１〜３に対応する数値実施例１〜３の具体的数値データを示す。各数値実施例において、ｉは物体側から数えた面の番号を示す。ｒｉは第ｉ番目の光学面（第ｉ面）の曲率半径である。ｄｉは第ｉ面と第（ｉ＋１）面との軸上間隔である。ｎｄｉ、νｄｉはそれぞれｄ線に対する第ｉ番目の光学部材の材料の屈折率、アッベ数である。 
【００５２】
数値実施例１
面データ
面番号       r        d      nd         νd       有効径
1        121.962    2.80   1.80610    33.3       68.41
2         87.545    0.08                         66.96
3         87.234    8.67   1.43387    95.1       66.97
4      -12946.695    0.15                         66.60
5        137.142    5.09   1.43387    95.1       65.44
6       1661.769  (可変)                         64.94
7       1137.659    2.18   1.80518    25.4       29.63
8       -124.606    1.40   1.69680    55.5       29.38
9         41.577    4.07                         28.25
10        -74.413    1.40   1.60311    60.6       28.27
11        128.778    1.79   1.80610    33.3       29.00
12      -1334.571  (可変)                         29.14
13        205.890    2.77   1.61800    63.4       29.70
14       -150.170    0.20                         29.86
15         43.022    5.55   1.49700    81.5       30.03
16       -186.166    6.27                         29.56
17        -54.513    2.00   1.84666    23.9       27.50
18        -98.865    3.50                         27.58
19(絞り)    ∞     (可変)                         26.77
20       -111.054    2.22   1.61340    44.3       26.25
21        -48.913    5.10                         26.22
22       1529.124    1.50   1.88300    40.8       23.73
23         71.550    2.17                         23.30
24        -65.884    2.48   1.80809    22.8       23.29
25        -28.155    1.50   1.69680    55.5       23.42
26        130.130  (可変)                         23.82
27        145.988    4.42   1.48749    70.2       27.68
28        -41.613    0.15                         27.84
29         70.430    3.16   1.61800    63.4       27.20
30       -164.101    1.86                         26.88
31        -40.607    1.60   1.84666    23.9       26.81
32       -134.286   13.17                         26.99
33        131.235    1.35   1.84666    23.9       27.73
34         59.051    4.91   1.72000    46.0       27.84
35        -69.753  (可変)                         28.00
36        229.768    1.35   1.88300    40.8       26.21
37         38.325    0.47                         25.70
38         45.684    7.35   1.80100    35.0       25.74
39        -22.442    1.35   1.78590    44.2       25.62
40         57.633  (可変)                         25.04
像面        ∞   
【００５３】
各種データ
ズーム比      3.89 
広角     中間     望遠
焦点距離     100.00   195.31   388.95  
Fナンバー      4.63     5.03     5.83  
画角          12.21     6.32     3.18  
像高          21.64    21.64    21.64  
レンズ全長   240.00   288.31   308.04  
BF            75.67    81.85    98.43  
d 6            3.37    63.18    97.00  
d12           22.69    13.37     1.48  
d19            7.87     5.68     3.48  
d26           13.73     9.84     2.07  
d35           12.64    10.35     1.54  
d40           75.67    81.85    98.43  
入射瞳位置    52.33   200.05   383.80  
射出瞳位置   -70.12   -58.29   -42.67  
前側主点位置  83.73   123.17  -299.40  
後側主点位置 -24.33  -113.46  -290.52  
ズームレンズ群データ
群  始面    焦点距離  レンズ構成長  前側主点位置  後側主点位置
1    1     189.13        16.79         3.03         -8.45
2    7     -46.81        10.84         3.14         -4.78
3   13      64.78        20.29        -1.67        -17.54
4a   20    140.60         2.22         2.42          1.07
4b   22    -38.60         7.65         2.22         -2.94
5a   27     70.71        11.19        -0.72         -8.21
5b   33     69.14         6.26         2.45         -1.18
6   36     -68.39        10.52         5.06         -0.89
単レンズデータ
レンズ  始面  焦点距離
1       1   -399.35
2       3    199.75
3       5    344.17
4       7    139.59
5       8    -44.59
6      10    -77.99
7      11    145.78
8      13    140.93
9      15     70.88
10      17   -146.55
11      20    140.60
12      22    -85.05
13      24     59.10
14      25    -33.09
15      27     66.94
16      29     80.15
17      31    -69.29
18      33   -127.90
19      34     45.13
20      36    -52.26
21      38     19.73
22      39    -20.40
【００５４】
数値実施例２
面データ
面番号       r        d      nd         νd       有効径
1        130.059    2.80   1.80610    33.3       74.53
2         90.894    0.09                         72.92
3         90.741    9.02   1.43387    95.1       72.93
4        1139.973    0.15                         72.56
5         100.933    7.55   1.43387    95.1       71.11
6       1716.667  (可変)                         70.54
7       -457.894    2.05   1.80518    25.4       30.28
8       -105.016    1.40   1.69680    55.5       29.73
9         37.074    4.21                         27.26
10        -69.022    1.40   1.60311    60.6       27.19
11         66.863    2.33   1.80610    33.3       27.09
12      -1930.181  (可変)                         27.03
13        237.749    2.64   1.61800    63.4       26.58
14       -120.007    0.20                         26.75
15         42.956    4.75   1.49700    81.5       26.90
16       -151.409    4.95                         26.52
17        -50.178    2.00   1.84666    23.9       25.05
18        -88.126    3.50                         25.16
19(絞り)    ∞     (可変)                         24.42
20       -139.252    2.18   1.61340    44.3       23.11
21        -46.452    1.00                         23.06
22      -1387.404    1.50   1.88300    40.8       22.11
23         66.431    1.97                         21.62
24        -66.579    2.36   1.80809    22.8       21.61
25        -27.289    1.50   1.69680    55.5       21.71
26        140.406  (可変)                         21.92
27        184.939    3.89   1.48749    70.2       25.29
28        -40.489    0.15                         25.45
29         69.497    2.95   1.61800    63.4       24.93
30       -145.597    1.60                         24.62
31        -39.302    1.60   1.84666    23.9       24.55
32       -123.734   11.61                         24.69
33        110.405    1.35   1.84666    23.9       27.24
34         49.810    5.00   1.72000    46.0       27.34
35        -66.783  (可変)                         27.48
36        251.113    1.35   1.88300    40.8       26.13
37         38.583    0.46                         25.63
38         45.456    6.97   1.80100    35.0       25.67
39        -23.097    1.35   1.78590    44.2       25.58
40         56.445  (可変)                         25.13
像面        ∞   
【００５５】
各種データ
ズーム比     5.45 
広角     中間     望遠
焦点距離      71.33   144.71   388.95  
Fナンバー      4.63     4.84     5.83  
画角          16.87     8.50     3.18  
像高          21.64    21.64    21.64  
レンズ全長   240.00   284.68   303.83  
BF            75.92    79.30    95.93  
d 6            3.50    60.77    96.57  
d12           32.93    21.79     1.50  
d19            6.12     4.66     8.31  
d26           16.31    12.91     2.18  
d35            7.38     7.40     1.50  
d40           75.92    79.30    95.93  
入射瞳位置    54.38   209.47   439.67  
射出瞳位置   -69.56   -58.29   -42.75  
前側主点位置  90.73   201.98  -262.21  
後側主点位置   4.59   -65.41  -293.02  
ズームレンズ群データ
群  始面    焦点距離  レンズ構成長  前側主点位置  後側主点位置
1    1     174.23        19.61         3.95         -9.52
2    7     -39.68        11.40         2.59         -5.70
3   13      61.62        18.05        -0.78        -14.99
4a  20     112.63         2.18         2.01          0.67
4b  22     -36.43         7.33         1.91         -2.98
5a  27      70.97        10.19        -0.45         -7.28
5b  33      63.69         6.35         2.38         -1.31
6   36     -66.57        10.13         4.85         -0.88
単レンズデータ
レンズ  始面  焦点距離
1       1   -386.79
2       3    226.64
3       5    246.82
4       7    168.80
5       8    -39.17
6      10    -56.10
7      11     80.21
8      13    129.41
9      15     67.88
10      17   -141.04
11      20    112.63
12      22    -71.76
13      24     55.73
14      25    -32.67
15      27     68.53
16      29     76.52
17      31    -68.62
18      33   -108.30
19      34     40.35
20      36    -51.78
21      38     20.03
22      39    -20.70
【００５６】
数値実施例３
面データ
面番号       r        d      nd         νd       有効径
1        120.374    2.80   1.83400    37.2       67.83
2         81.698   -0.00                         66.23
3         78.812    9.42   1.43387    95.1       66.26
4      90141.143    0.15                         65.87
5        118.069    5.74   1.43387    95.1       64.63
6       1661.895  (可変)                         64.08
7       -804.483    2.09   1.80518    25.4       30.74
8       -114.169    1.40   1.72916    54.7       30.18
9         43.649    3.92                         27.89
10        -69.850    1.40   1.60311    60.6       27.80
11        120.066    1.91   1.80610    33.3       27.58
12       -411.325  (可変)                         27.51
13        188.058    2.32   1.61800    63.4       27.39
14       -288.123    0.20                         27.51
15         42.903    4.92   1.49700    81.5       27.70
16       -155.402    1.17                         27.34
17        -56.436    2.00   1.84666    23.9       27.31
18        -65.570    3.50                         27.40
19(絞り)    ∞     (可変)                         25.94
20       -656.647    1.50   1.90366    31.3       22.83
21         75.636    2.15                         22.49
22        -56.403    2.74   1.80809    22.8       22.50
23        -23.506    1.50   1.69680    55.5       22.67
24        405.756  (可変)                         23.26
25       1346.507    4.26   1.48749    70.2       26.53
26        -33.276    0.15                         26.80
27         64.849    3.03   1.59282    68.6       26.19
28       -194.521    1.83                         25.89
29        -39.188    1.60   1.84666    23.9       25.86
30       -122.259    0.15                         26.10
31        456.783    1.83   1.48749    70.2       26.07
32       -133.018   13.10                         26.03
33        130.237    1.35   1.84666    23.9       28.44
34         58.582    4.59   1.72000    46.0       28.44
35        -77.053  (可変)                         28.50
36        557.271    1.35   1.88300    40.8       26.74
37         32.813    0.48                         26.21
38         36.845    7.05   1.83400    37.2       26.31
39        -27.590    1.35   1.77250    49.6       26.22
40         48.320  (可変)                         25.54
像面        ∞   
【００５７】
各種データ
ズーム比      5.49 
広角     中間     望遠
焦点距離      69.67   137.78   382.19  
Fナンバー      4.63     4.94     5.83  
画角          17.25     8.92     3.24  
像高          21.64    21.64    21.64  
レンズ全長   239.15   273.52   301.64  
BF            76.34    78.90    96.00  
d 6            2.30    51.30    96.00  
d12           35.40    19.16     1.48  
d19            7.90     9.52    10.61  
d24           17.49    12.47     2.18  
d35            6.79     9.24     2.44  
d40           76.34    78.90    96.00  
入射瞳位置    51.79   158.22   376.67  
射出瞳位置   -73.88   -62.25   -43.60  
前側主点位置  89.15   161.51  -287.50  
後側主点位置   6.66   -58.87  -286.20  
ズームレンズ群データ
群  始面    焦点距離  レンズ構成長  前側主点位置  後側主点位置
1    1     178.52        18.10         3.58         -8.80
2    7     -44.94        10.72         2.53         -5.26
3   13      55.74        14.10         2.21         -8.60
4   20     -40.18         7.89         1.59         -3.72
5a  25      55.91        12.85         2.00         -7.00
5b  33      73.85         5.94         2.23         -1.21
6   36     -60.80        10.23         4.43         -1.24
単レンズデータ
レンズ  始面  焦点距離
1       1   -315.26
2       3    181.80
3       5    292.61
4       7    165.02
5       8    -43.14
6      10    -73.02
7      11    115.48
8      13    184.47
9      15     68.21
10      17   -531.92
11      20    -74.98
12      22     48.09
13      23    -31.84
14      25     66.68
15      27     82.40
16      29    -68.73
17      31    211.54
18      33   -126.86
19      34     46.89
20      36    -39.53
21      38     19.91
22      39    -22.56
【００５８】
【表１】
2014021256.tif 000003
【符号の説明】
【００５９】
Ｌ１：第１レンズ群  Ｌ２：第２レンズ群  Ｌ３：第３レンズ群  Ｌ４：第４レンズ群
Ｌ５：第５レンズ群  Ｌ６：第６レンズ群  Ｌ４ａ：第４ａレンズ成分
Ｌ４ｂ：第４ｂレンズ成分  Ｌ５ａ：第５ａレンズ成分  Ｌ５ｂ：第５ｂレンズ成分
Ｌ６：第６レンズ群  ＳＰ：開口絞り
【図１】
2014021256.tif 000004
【図２】
2014021256.tif 000005
【図３】
2014021256.tif 000006
【図４】
2014021256.tif 000007
【図５】
2014021256.tif 000008
【図６】
2014021256.tif 000009
【図７】
2014021256.tif 000010
【図８】
2014021256.tif 000011
【図９】
2014021256.tif 000012
【図１０】
2014021256.tif 000013
【図１１】
2014021256.tif 000014
【図１２】
2014021256.tif 000015
【図１３】
2014021256.tif 000016